【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
電子ペンにより認識可能なコード化パターンが印刷された電子ペン用媒体に記入された情報を処理する端末装置であって、
前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、
前記端末装置は、
前記自由記入エリア、前記送信先情報記入エリア及び前記選択エリアと、前記コード化パターン上の位置座標を示す座標データとを対応付けた座標定義情報を記憶する座標定義情報記憶手段と、
前記選択エリアへの前記電子ペンによるタップ回数と、前記メッセージの送信方法とを対応付けて記憶する方法定義情報記憶手段と、
前記電子ペンから、前記電子ペン用媒体への記入内容に対応する記入情報を取得する記入情報取得手段と、
前記記入情報に含まれる座標データに基づいて前記座標定義情報を参照することで、前記電子ペンが記入したエリアを特定するエリア特定手段と、
前記エリア特定手段が前記自由記入エリアに記入したと特定した場合、前記記入情報はメッセージに対応するメッセージ記入情報であると特定するメッセージ記入情報特定手段と、
前記エリア特定手段が前記送信先情報記入エリアに記入したと特定した場合、前記記入情報に基づいて送信先情報を特定する送信先情報特定手段と、
前記エリア特定手段が前記選択エリアに記入したと特定した場合、前記記入情報に基づいて、前記選択エリアへのタップ回数を検出するタップ回数検出手段と、
前記タップ回数検出手段が検出したタップ回数に基づいて前記方法定義情報を参照することで、対応する送信方法を特定する送信方法特定手段と、
前記送信方法特定手段が特定した送信方法により、前記送信先情報特定手段が特定した送信先情報に基づいて、前記メッセージ記入情報特定手段により特定されたメッセージ記入情報を送信する送信手段と、を備えることを特徴とする端末装置。
【請求項２】
前記送信先情報特定手段は、前記記入情報に基づいて文字認識により送信先情報を特定することを特徴とする請求項１に記載の端末装置。
【請求項３】
前記電子ペンは、取得した記入情報を即時的且つ逐次的に前記端末装置へ送信することを特徴とする請求項１又は２に記載の端末装置。
【請求項４】
前記記入情報に基づいて、データ開始点及びデータ終了点を特定する開始終了点特定手段をさらに備え、
前記エリア特定手段は、前記データ開始点及び前記データ終了点の座標データに基づいて前記座標定義情報を参照することで、当該データ開始点及び当該データ終了点の双方が含まれる前記エリアを特定するものであり、
前記タップ回数検出手段は、前記データ開始点及び前記データ終了点に基づく時間及び／又は両点間の移動距離により、前記選択エリアがタップされた回数であるタップ回数を検出することを特徴とする請求項１乃至３のいずれか一項に記載の端末装置。
【請求項５】
前記タップ回数検出手段は、前記記入情報に基づくタップが、前記選択エリアに対する最後のタップから、予め設定された所定読取時間以上経過している場合、タップ回数を初期値にリセットしてからカウントすることを特徴とする請求項１乃至４のいずれか一項に記載の端末装置。
【請求項６】
前記方法定義情報記憶手段は、前記タップ回数と、前記メッセージの送信方法と、前記送信方法を説明する音声データとを対応付けて記憶しており、
前記端末装置は、
前記音声データに基づいて音声を出力する音声出力部と、
前記タップ回数検出手段が検出したタップ回数が変化する度に、当該タップ回数に基づいて、前記方法定義情報記憶手段から対応する音声データを抽出する音声データ抽出手段と、
前記音声データ抽出手段が抽出した音声データに基づいて、前記音声出力部から音声を出力する音声出力手段と、を備えることを特徴とする請求項１乃至５のいずれか一項に記載の端末装置。
【請求項７】
前記方法定義情報記憶手段は、前記タップ回数と、前記メッセージの送信方法と、前記送信方法を説明する音声データとを対応付けて記憶しており、
前記タップ回数検出手段は、前記エリア特定手段が前記選択エリアに記入したと特定した場合、前記記入情報に基づいて、一定時間内における前記選択エリアへのタップ回数を検出するものであって、
前記端末装置は、
前記音声データに基づいて音声を出力する音声出力部と、
前記タップ回数検出手段が検出したタップ回数に基づいて、前記方法定義情報記憶手段から対応する音声データを抽出する音声データ抽出手段と、
前記音声データ抽出手段が抽出した音声データに基づいて、前記音声出力部から音声を出力する音声出力手段と、を備えることを特徴とする請求項１乃至５のいずれか一項に記載の端末装置。
【請求項８】
前記記入情報に基づいて文字認識をすることにより、前記送信方法の決定を示す記号が電子ペン用媒体に記入されたか否かを判定する決定判定手段と、
前記決定判定手段により前記記号が記入されたと判定された場合に、その時点で前記タップ回数検出手段が検出しているタップ回数を確定するタップ回数確定手段と、をさらに備え、
前記送信方法特定手段は、前記タップ回数確定手段が確定したタップ回数に基づいて前記方法定義情報を参照することで、対応する送信方法を特定することを特徴とする請求項１乃至７のいずれか一項に記載の端末装置。
【請求項９】
前記電子ペン用媒体は、さらに、前記メッセージの送信方法を決定する決定エリアを有しており、
前記座標定義情報記憶手段は、さらに、前記決定エリアと、前記座標データとを対応付けた情報を座標定義情報として記憶するものであって、
前記端末装置は、
前記エリア特定手段が前記決定エリアに記入したと特定した場合、その時点で前記タップ回数検出手段が検出しているタップ回数を確定するタップ回数確定手段をさらに備え、
前記送信方法特定手段は、前記タップ回数確定手段が確定したタップ回数に基づいて前記方法定義情報を参照することで、対応する送信方法を特定することを特徴とする請求項１乃至７のいずれか一項に記載の端末装置。
【請求項１０】
前記メッセージ記入情報に基づいて画像データを作成する画像データ作成手段をさらに備え、
前記送信手段は、前記送信方法特定手段が特定した送信方法により、前記送信先情報特定手段が特定した送信先情報に基づいて、前記画像データ作成手段が作成した画像データを送信することを特徴とする請求項１乃至９のいずれか一項に記載の端末装置。
【請求項１１】
前記メッセージ記入情報に基づいて文字認識をすることでテキストデータを作成するテキストデータ作成手段をさらに備え、
前記送信手段は、前記送信方法特定手段が特定した送信方法により、前記送信先情報特定手段が特定した送信先情報に基づいて、前記テキストデータ作成手段が作成したテキストデータを送信することを特徴とする請求項１乃至１０のいずれか一項に記載の端末装置。
【請求項１２】
電子ペンにより認識可能なコード化パターンが印刷された電子ペン用媒体に記入された情報を処理するコンピュータにより実行されるプログラムであって、
前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、
前記プログラムは、
前記自由記入エリア、前記送信先情報記入エリア及び前記選択エリアと、前記コード化パターン上の位置座標を示す座標データとを対応付けた座標定義情報を記憶する座標定義情報記憶手段、
前記選択エリアへの前記電子ペンによるタップ回数と、前記メッセージの送信方法とを対応付けて記憶する方法定義情報記憶手段、
前記電子ペンから、前記電子ペン用媒体への記入内容に対応する記入情報を取得する記入情報取得手段、
前記記入情報に含まれる座標データに基づいて前記座標定義情報を参照することで、前記電子ペンが記入したエリアを特定するエリア特定手段、
前記エリア特定手段が前記自由記入エリアに記入したと特定した場合、前記記入情報はメッセージに対応するメッセージ記入情報であると特定するメッセージ記入情報特定手段、
前記エリア特定手段が前記送信先情報記入エリアに記入したと特定した場合、前記記入情報に基づいて送信先情報を特定する送信先情報特定手段、
前記エリア特定手段が前記選択エリアに記入したと特定した場合、前記記入情報に基づいて、前記選択エリアへのタップ回数を検出するタップ回数検出手段、
前記タップ回数検出手段が検出したタップ回数に基づいて前記方法定義情報を参照することで、対応する送信方法を特定する送信方法特定手段、
前記送信方法特定手段が特定した送信方法により、前記送信先情報特定手段が特定した送信先情報に基づいて、前記メッセージ記入情報特定手段により特定されたメッセージ記入情報を送信する送信手段、として前記コンピュータを機能させることを特徴とするプログラム。
【請求項１３】
コード化パターンが印刷され、任意のメッセージが記入される自由記入エリアと、前記メッセージの送信先を特定する送信先情報が記入される送信先情報記入エリアと、前記メッセージの送信方法を選択する選択エリアとを有する電子ペン用媒体と、
前記電子ペン用媒体に印刷されたコード化パターンを記入情報として読み取り、外部に送信する電子ペンと、
前記電子ペンにより送信された前記記入情報を取得し、所定の処理を実行する端末装置と、を備える情報処理システムであって、
前記端末装置は、
前記自由記入エリア、前記送信先情報記入エリア及び前記選択エリアと、前記コード化パターン上の位置座標を示す座標データとを対応付けた座標定義情報を記憶する座標定義情報記憶手段と、
前記選択エリアへの前記電子ペンによるタップ回数と、前記メッセージの送信方法とを対応付けて記憶する方法定義情報記憶手段と、
前記電子ペンから、前記電子ペン用媒体への記入内容に対応する記入情報を取得する記入情報取得手段と、
前記記入情報に含まれる座標データに基づいて前記座標定義情報を参照することで、前記電子ペンが記入したエリアを特定するエリア特定手段と、
前記エリア特定手段が前記自由記入エリアに記入したと特定した場合、前記記入情報はメッセージに対応するメッセージ記入情報であると特定するメッセージ記入情報特定手段と、
前記エリア特定手段が前記送信先情報記入エリアに記入したと特定した場合、前記記入情報に基づいて送信先情報を特定する送信先情報特定手段と、
前記エリア特定手段が前記選択エリアに記入したと特定した場合、前記記入情報に基づいて、前記選択エリアへのタップ回数を検出するタップ回数検出手段と、
前記タップ回数検出手段が検出したタップ回数に基づいて前記方法定義情報を参照することで、対応する送信方法を特定する送信方法特定手段と、
前記送信方法特定手段が特定した送信方法により、前記送信先情報特定手段が特定した送信先情報に基づいて、前記メッセージ記入情報特定手段により特定されたメッセージ記入情報を送信する送信手段と、を備えることを特徴とする情報処理システム。
【手続補正２】
【補正対象書類名】明細書
【補正対象項目名】０００６
【補正方法】変更
【補正の内容】
【０００６】
本発明に係る端末装置は、電子ペンにより認識可能なコード化パターンが印刷された電子ペン用媒体に記入された情報を処理する端末装置であって、前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、前記端末装置は、前記自由記入エリア、前記送信先情報記入エリア及び前記選択エリアと、前記コード化パターン上の位置座標を示す座標データとを対応付けた座標定義情報を記憶する座標定義情報記憶手段と、前記選択エリアへの前記電子ペンによるタップ回数と、前記メッセージの送信方法とを対応付けて記憶する方法定義情報記憶手段と、前記電子ペンから、前記電子ペン用媒体への記入内容に対応する記入情報を取得する記入情報取得手段と、前記記入情報に含まれる座標データに基づいて前記座標定義情報を参照することで、前記電子ペンが記入したエリアを特定するエリア特定手段と、前記エリア特定手段が前記自由記入エリアに記入したと特定した場合、前記記入情報はメッセージに対応するメッセージ記入情報であると特定するメッセージ記入情報特定手段と、前記エリア特定手段が前記送信先情報記入エリアに記入したと特定した場合、前記記入情報に基づいて送信先情報を特定する送信先情報特定手段と、前記エリア特定手段が前記選択エリアに記入したと特定した場合、前記記入情報に基づいて、前記選択エリアへのタップ回数を検出するタップ回数検出手段と、前記タップ回数検出手段が検出したタップ回数に基づいて前記方法定義情報を参照することで、対応する送信方法を特定する送信方法特定手段と、前記送信方法特定手段が特定した送信方法により、前記送信先情報特定手段が特定した送信先情報に基づいて、前記メッセージ記入情報特定手段により特定されたメッセージ記入情報を送信する送信手段と、を備える。
【手続補正３】
【補正対象書類名】明細書
【補正対象項目名】０００７
【補正方法】変更
【補正の内容】
【０００７】
このような構成において、利用者は、電子ペンを使用して、電子ペン用媒体の自由記入エリアに任意のメッセージを、送信先情報記入エリアに任意の第三者の送信先情報を記入する。送信先情報とは、例えばメールアドレスやＦＡＸ番号等である。続いて、利用者は、選択エリアをタップすることにより、メッセージの送信方法を選択する。この構成によれば、利用者が電子ペンにより電子ペン用媒体の各エリアに記入又はタップをすると、電子ペンは電子ペン用媒体への記入又はタップによる記入情報を端末装置に送信する。端末装置では、記入情報取得手段によってその記入情報が取得され、エリア特定手段が、記入情報取得手段により取得された記入情報に含まれる座標データに基づいて、座標定義情報記憶手段に記憶された座標定義情報を参照し、エリアを特定する。さらに、メッセージ記入情報特定手段は、エリア特定手段により電子ペン用媒体の自由記入エリアに対応すると特定された記入情報を、メッセージ記入情報に特定する。続いて、送信先情報特定手段は、エリア特定手段により送信先情報記入エリアに対応すると特定された記入情報に基づいて、当該送信先情報記入エリアに記入された送信先情報を特定する。また、タップ回数検出手段は、エリア特定手段により選択エリアに対応すると特定された記入情報に基づいて、当該選択エリアへのタップ回数をカウントして検出する。さらに、送信方法特定手段は、タップ回数検出手段により検出されたタップ回数に基づいて、方法定義情報記憶手段に記憶された方法定義情報を参照し、自由記入エリアへ記入されたメッセージの送信方法を特定する。送信手段は、送信方法特定手段が特定した送信方法により、送信先情報特定手段が特定した送信先情報に基づいて、メッセージ記入情報特定手段が特定したメッセージ記入情報を送信する。即ち、電子ペンにより電子ペン用媒体に記入された任意のメッセージを、記入された送信先情報に基づいて第三者の端末装置へ送信する。このように、端末装置は、選択エリアを電子ペンがタップする回数に基づいて送信方法の選択をすることができる。つまり、電子ペンから取得した１つのユーザエリアへの記入情報に基づいて、複数の送信方法から任意の送信方法を選択し、利用者が記入したメッセージを容易に送信することができる。よって、電子ペン用媒体上におけるユーザエリアのスペースを節約することができ、利用者はより自由にメッセージを記入することができる。さらに、電子ペン用媒体のデザインの自由度が増すので、より見やすいデザインを設計することができる。
好ましくは、前記送信先情報特定手段は、前記記入情報に基づいて、ＨＷＲ（HandWriting Recognition；手書き文字認識）やＯＣＲ（Optical Character Recognition；光学文字認識）等により文字認識を行うことで送信先情報を特定する。
【手続補正４】
【補正対象書類名】明細書
【補正対象項目名】００２２
【補正方法】変更
【補正の内容】
【００２２】
また、本発明に係るプログラムは、電子ペンにより認識可能なコード化パターンが印刷された電子ペン用媒体に記入された情報を処理するコンピュータにより実行されるプログラムであって、前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、前記プログラムは、前記自由記入エリア、前記送信先情報記入エリア及び前記選択エリアと、前記コード化パターン上の位置座標を示す座標データとを対応付けた座標定義情報を記憶する座標定義情報記憶手段、前記選択エリアへの前記電子ペンによるタップ回数と、前記メッセージの送信方法とを対応付けて記憶する方法定義情報記憶手段、前記電子ペンから、前記電子ペン用媒体への記入内容に対応する記入情報を取得する記入情報取得手段、前記記入情報に含まれる座標データに基づいて前記座標定義情報を参照することで、前記電子ペンが記入したエリアを特定するエリア特定手段、前記エリア特定手段が前記自由記入エリアに記入したと特定した場合、前記記入情報はメッセージに対応するメッセージ記入情報であると特定するメッセージ記入情報特定手段、前記エリア特定手段が前記送信先情報記入エリアに記入したと特定した場合、前記記入情報に基づいて送信先情報を特定する送信先情報特定手段、前記エリア特定手段が前記選択エリアに記入したと特定した場合、前記記入情報に基づいて、前記選択エリアへのタップ回数を検出するタップ回数検出手段、前記タップ回数検出手段が検出したタップ回数に基づいて前記方法定義情報を参照することで、対応する送信方法を特定する送信方法特定手段、前記送信方法特定手段が特定した送信方法により、前記送信先情報特定手段が特定した送信先情報に基づいて、前記メッセージ記入情報特定手段により特定されたメッセージ記入情報を送信する送信手段、として前記コンピュータを機能させることを特徴とする。
【手続補正５】
【補正対象書類名】明細書
【補正対象項目名】００２４
【補正方法】変更
【補正の内容】
【００２４】
また、本発明に係る情報処理システムによれば、利用者が電子ペンにより電子ペン用帳票の自由記入エリア、送信先情報記入エリア及び選択エリアに記入又はタップを行うと、電子ペンは、電子ペン用媒体への記入又はタップによる記入情報を端末装置へ送信する。そして、端末装置では、記入情報取得手段によってその記入情報が取得され、エリア特定手段が、記入情報取得手段により取得された記入情報に含まれる座標データに基づいて、座標定義情報記憶手段に記憶された座標定義情報を参照し、エリアを特定する。さらに、メッセージ記入情報特定手段は、エリア特定手段により電子ペン用媒体の自由記入エリアに対応すると特定された記入情報を、メッセージ記入情報に特定する。続いて、送信先情報特定手段は、エリア特定手段により送信先情報記入エリアに対応すると特定された記入情報に基づいて、当該送信先情報記入エリアに記入された送信先情報を特定する。また、タップ回数検出手段は、エリア特定手段により選択エリアに対応すると特定された記入情報に基づいて、当該選択エリアへのタップ回数をカウントして検出する。さらに、送信方法特定手段は、タップ回数検出手段により検出されたタップ回数に基づいて、方法定義情報記憶手段に記憶された方法定義情報を参照し、自由記入エリアへ記入されたメッセージの送信方法を特定する。送信手段は、送信方法特定手段が特定した送信方法により、送信先情報特定手段が特定した送信先情報に基づいて、メッセージ記入情報特定手段が特定したメッセージ記入情報を送信する。このように、端末装置は、選択エリアを電子ペンがタップする回数に基づいて送信方法を選択することができる。つまり、電子ペンから取得した１つのユーザエリアへの記入情報に基づいて、複数の送信方法から任意の送信方法を選択し、利用者が記入したメッセージを容易に送信することができる。よって、電子ペン用媒体上におけるユーザエリアのスペースを節約することができ、利用者はより自由にメッセージを記入することができる。